(57)【特許請求の範囲】
【請求項１】
エチルベンゼン、ヨードベンゼン、糖、四臭化炭素、メタノール、フィコール、ｍ−キシレン、ブロモベンゼンから選ばれる１種以上が用いられた密度既知の液体に対して測定対象である毛髪を浸し、前記毛髪の浮き沈みに基づいて前記毛髪の密度を判定する、毛髪密度判定方法。
【請求項２】
エチルベンゼン、ヨードベンゼン、糖、四臭化炭素、メタノール、フィコール、ｍ−キシレン、ブロモベンゼンから選ばれる１種以上が用いられた既知の密度分布を有する液体に対して測定対象である毛髪を浸し、浸された前記毛髪の前記液体中の位置に基づいて前記毛髪の密度を判定する、毛髪密度判定方法。
【請求項３】
前記既知の密度分布を有する液体は、下方ほど密度が大きくなるような密度勾配を有している、請求項２に記載の毛髪密度判定方法。
【請求項４】
同一人の頭部から得られる毛髪であって異なる毛髪における根元同士の密度もしくは毛先同士の密度を比較するか、または、同一毛髪における根元と毛先の密度を比較する、請求項１から３のいずれか１項に記載の毛髪密度判定方法。
【請求項５】
異なる人物の頭部から得られる毛髪の密度を比較する、請求項１から３のいずれか１項に記載の毛髪密度判定方法。
【請求項６】
測定対象である毛髪を浸して密度を判定するための毛髪密度判定用液体であって、
エチルベンゼン、ヨードベンゼン、糖、四臭化炭素、メタノール、フィコール、ｍ−キシレン、ブロモベンゼンから選ばれる１種以上が用いられており、
密度が1.20g/cm3以上1.40g/cm3以下である、
毛髪密度判定用液体。
【請求項７】
前記密度が、測定対象の毛髪の保持者の年齢および湿度条件に応じた密度である、
請求項６に記載の毛髪密度判定用液体。
【請求項８】
測定対象である毛髪を浸して密度を判定するための毛髪密度判定用キットであって、
密度既知の第１液体と、
密度既知であって、前記第１液体とは密度が異なる第２液体と、
を備え、
前記第１液体と前記第２液体は、エチルベンゼン、ヨードベンゼン、糖、四臭化炭素、メタノール、フィコール、ｍ−キシレン、ブロモベンゼンから選ばれる１種以上が用いられたものである
毛髪密度判定用キット。
【請求項９】
測定対象である毛髪を浸して密度を判定するために用いられ、
エチルベンゼン、ヨードベンゼン、糖、四臭化炭素、メタノール、フィコール、ｍ−キシレン、ブロモベンゼンから選ばれる１種以上が用いられており、
既知の密度分布を有している、
毛髪密度判定用密度分布液体。
【請求項１０】
下方ほど密度が大きくなるような密度勾配を有しており、
前記密度勾配における最小密度が、前記測定対象である毛髪の密度より小さく、
前記密度勾配における最大密度が、前記測定対象である毛髪の密度より大きい、
請求項９に記載の毛髪密度判定用密度分布液体。
【発明の詳細な説明】
【技術分野】
【０００１】
本発明は、毛髪密度判定方法、毛髪密度判定用液体、毛髪密度判定用キットおよび毛髪密度判定用密度分布液体に関する。
【背景技術】
【０００２】
従来より、毛髪の状態を把握するために様々な評価が検討されている。
【０００３】
例えば、特許文献１（特表２０１３−５２５５０３号公報）では、単位面積当たりに生えている毛髪の本数である本数密度（本／ｃｍ2）を増大させることが可能なヘアケア組成物を提案している。この例では、当該ヘアケア組成物を用いた場合の効果を確認するために、例えば、単位面積当たりに生えている毛髪の本数を評価することになる。
【発明の概要】
【発明が解決しようとする課題】
【０００４】
しかしながら、これまでは、単位面積当たりに生えている毛髪の本数としての本数密度（本／ｃｍ2）を評価するだけであり、毛髪自体の単位体積当たりの重さとしての毛髪密度（ｇ／ｃｍ3）についてはなんら検討されていない。
【０００５】
特に、毛髪密度（ｇ／ｃｍ3）に関する定量的な判定を行うための具体的な手法については、これまでなんら提案されていない。
【０００６】
また、毛髪密度（ｇ／ｃｍ3）に関する定量的な判定が可能となれば、加齢とともに変化する毛髪の状態を、毛髪密度（ｇ／ｃｍ3）という客観的な指標を用いて判定することも可能になる。
【０００７】
本発明は上述した事情に鑑みてなされたものであり、その目的は、毛髪密度の定量的な判定が可能な毛髪密度判定方法、毛髪密度判定用液体、毛髪密度判定用キットおよび毛髪密度判定用密度分布液体を提供することにある。
【課題を解決するための手段】
【０００８】
本発明者が、単位体積当たりの毛髪の重さである毛髪密度の定量化を可能とするべく鋭意検討を行った結果、密度既知の液体に測定対象である毛髪を浸してその毛髪の浮き沈みを観察することが有意であることを見出し、本発明を完成するに至った。
【０００９】
すなわち、本発明に係る毛髪密度判定方法は、密度既知の液体に対して測定対象である毛髪を浸し、前記毛髪の浮き沈みに基づいて毛髪の密度を判定する。
【００１０】
また、本発明に係る毛髪密度判定方法では、既知の密度分布を有する液体に対して測定対象である毛髪を浸し、浸された前記毛髪の前記液体中の位置に基づいて前記毛髪の密度を判定することが好ましい。ここで、前記既知の密度分布を有する液体は、下方ほど密度が大きくなるような密度勾配を有していることが好ましい。
【００１１】
また、本発明に係る毛髪密度判定方法では、同一人の頭部から得られる毛髪であって異なる毛髪における根元同士の密度もしくは毛先同士の密度を比較するか、または、同一毛髪における根元と毛先の密度を比較することが好ましい。
【００１２】
また、本発明に係る毛髪密度判定方法では、異なる人物の頭部から得られる毛髪の密度を比較することが好ましい。
【００１３】
本発明に係る毛髪密度判定用液体は、測定対象である毛髪を浸して密度を判定するための毛髪密度判定用液体であって、密度が1.20g/cm3以上1.40g/cm3以下である。ここで、毛髪密度判定用液体の密度を、測定対象の毛髪の保持者の年齢および湿度条件に応じた密度とすることが好ましい。
【００１４】
本発明に係る毛髪密度判定用キットは、測定対象である毛髪を浸して密度を判定するための毛髪密度判定用キットであって、密度既知の第１液体と、密度既知であって前記第１液体とは密度が異なる第２液体と、を備えている。
【００１５】
本発明に係る毛髪密度判定用密度分布液体は、測定対象である毛髪を浸して密度を判定するために用いられ、既知の密度分布を有している。ここで、毛髪密度判定用密度分布液体は、下方ほど密度が大きくなるような密度勾配を有しており、前記密度勾配における最小密度が前記測定対象である毛髪の密度より小さく、前記密度勾配における最大密度が前記測定対象である毛髪の密度より大きいことが好ましい。
【発明の効果】
【００１６】
本発明によれば、毛髪密度を定量的に判定することが可能になる。
【図面の簡単な説明】
【００１７】
【図１】毛髪密度判定用密度分布液体の製造装置の一例を示す概略構成図である。
【図２】実施例における密度勾配液体のキャブレーション結果を示すグラフである。
【図３】実施例において得られたデータを根元と毛先についてそれぞれ年代別に直線近似を求めた結果を示すグラフである。
【図４】「毛先の毛髪密度」／「根元の毛髪密度」の値を年代別にプロットした結果を示すグラフである。
【発明を実施するための形態】
【００１８】
以下、毛髪密度判定方法、毛髪密度判定用液体、毛髪密度判定用密度分布液体、および、毛髪密度判定用キットについて、例を挙げつつ具体的に説明するが、これらの記載は発明を限定するものではない。
【００１９】
（１）毛髪密度判定方法
毛髪密度判定方法では、密度既知の液体と測定対象である毛髪を用意し、密度既知の液体に対して測定対象である毛髪を浸し、浸された毛髪の浮き沈みに基づいて測定対象である毛髪の密度を判定する。
【００２０】
（１−１）密度既知の液体
密度既知の液体としては、特に限定されないが、例えば、十分に攪拌されることで密度分布が一様に均一であって単位体積当たりの重さである密度（g/cm3, kg/m3等）が明らかになっている液体（密度均一液体）や、密度が均一ではないが既知の密度分布を有する液体（毛髪密度判定用密度分布液体）が挙げられる。ここで、既知の密度分布を有する液体（毛髪密度判定用密度分布液体）としては、下方ほど密度が大きくなるような密度勾配を有しているものが好ましく、例えば、下方から上方に向けて密度の高い層から低い層が積層されることで構成されており各層の単位体積当たりの重さである密度（g/cm3, kg/m3等）が明らかになっている（少なくとも部分的に明らかになっている）液体（密度勾配液体）が挙げられる。なお、密度勾配液体は、高さ方向に所定厚みの密度毎の層を複数有しているものに限られず、層同士の境界が不明になるほど徐徐に密度が変化する勾配を有しているものであってもよい。
【００２１】
なお、密度の調製方法は、特に限定されないが、例えば、エチルベンゼン、ヨードベンゼン、糖、四塩化炭素、四臭化炭素、メタノール、Ｐｈａｒｍａｃｉａ  社製「フィコール（ショ糖とエピクロロヒドリンを共重合した水溶性の合成品）」、ｍ−キシレン、ブロモベンゼン等を用いて密度を調整してもよい。糖、フィコールについては、水に溶解させると良い。また、密度の異なる２種類以上の液体を用いて複数種類の密度の液体を調製していてもよく、このような密度の異なる２種類の液体としては、例えば、エチルベンゼンおよびヨードベンゼン、四塩化炭素および四臭化炭素、四塩化炭素およびメタノール、ｍ−キシレンおよびブロモベンゼンが挙げられる。
【００２２】
（１−２）毛髪の浮き沈みに基づいた判定
毛髪の浮き沈みに基づいた判定は、特に限定されず、例えば、上記の密度既知の密度均一液体に対して測定対象となる毛髪が浮いた場合には、当該液体の既知の密度よりも測定対象の毛髪密度が小さいという判定が可能になる。また、上記の密度既知の密度均一液体に対して測定対象となる毛髪が沈んだ場合には、当該液体の既知の密度よりも測定対象の毛髪密度が大きいという判定が可能になる。
【００２３】
また、毛髪の浮き沈みに基づいた判定で、上記の密度既知の密度均一液体として互いに密度が異なる２種類の液体を用意してもよい。この場合には、例えば、密度が高い高密度液体に対しては測定対象の毛髪が浮き、かつ、当該毛髪を密度が低い低密度液体に対しては測定対象の毛髪が沈んだ場合には、当該毛髪の密度が低密度液体よりも密度が高く高密度液体よりは密度が低いことを判定できたことになる。さらに、毛髪の浮き沈みに基づいた判定では、上記の密度既知の密度均一液体として互いに密度が異なる３種以上の複数種類の液体を用意してもよい。ここで、測定対象の毛髪の密度は、毛髪が沈んだ液体より大きく毛髪が浮いた液体より小さいことが分かるが、密度既知の密度均一液体の種類を無限種類用意することによって実質的に毛髪の密度の具体的な値を測定することも可能になる。
【００２４】
また、毛髪の浮き沈みに基づいた判定は、特に限定されず、例えば、上記の密度既知の密度勾配液体に対して測定対象となる毛髪を沈めた場合に、当該毛髪が密度勾配液体において留まる位置（高さ）に応じて測定対象の毛髪の密度を判定することが可能になる。なお、密度勾配液体のうち毛髪が留まった高さ位置における液体密度が既知の場合には、当該高さ位置に留まる毛髪の密度は、当該既知の液体密度と等しいことになるため、毛髪密度を具体的に測定することができたことになる。もっとも、密度勾配液体に対して毛髪が沈まなかった場合には、毛髪密度がさらに小さいことになり、密度勾配液体に対して毛髪が底まで沈んでしまった場合には、毛髪密度がさらに高いことになる。
【００２５】
（１−３）測定対象となる毛髪
測定対象となる毛髪は、特に限定されず、１本でも複数本でもよい。
【００２６】
測定対象となる毛髪として、同一人の頭部から得られる毛髪であって異なる毛髪におけるそれぞれの根元部分を用いてもよい。この場合には、同一人の頭部のうち、生えている部位に応じた根元の密度の異同を判定することができる。なお、毛髪の根元としては特に限定されず、例えば、頭皮から２０ｃｍ以内が良く、１０ｃｍ以内が好ましく、５ｃｍ以内がより好ましく、３ｃｍ以内が更に好ましい。頭皮から近い毛髪であれば、毛髪ダメージによる密度変化の影響を抑制できる。
【００２７】
また、測定対象となる毛髪として、同一人の頭部から得られる毛髪であって異なる毛髪におけるそれぞれの毛先部分を用いてもよい。この場合には、同一人の頭部のうち、生えている部位に応じた毛先の密度の異同を判定することができる。なお、毛髪の毛先としては特に限定されず、例えば、先端２０ｃｍ以内が良く、１０ｃｍ以内が好ましく、５ｃｍ以内がより好ましく、３ｃｍ以内が更に好ましい。先端から近い毛髪であれば、ダメージの蓄積度合の一つの指標にできる。
【００２８】
さらに、測定対象となる毛髪として、同一人の頭部から得られる毛髪であって同一の毛髪における根元部分と毛先部分の両方を用いてもよい。この場合には、同一人の毛髪のうち、根元部分と毛先部分との密度の異同を判定することができる。なお、毛髪の根元および毛先の部分は上述と同様である。
【００２９】
また、測定対象となる毛髪として、異なる人物の頭部から得られるそれぞれの毛髪を用いてもよい。この場合には、異なる人物の毛髪の根元同士、毛先同士を比較することが好ましい。
【００３０】
また、現実の異なる人物の毛髪同士を比較する場合に限られず、例えば、測定対象の人物の年齢に応じた毛髪密度の平均値（根元の平均値、毛先の平均値等に分けられていてもよい。）と測定対象者の毛髪の密度（平均値が根元であれば根元の密度、平均値が毛先であれば毛先の密度）を比較するようにしてもよい。これにより、測定対象の人物の毛髪年齢を客観性高く判定することも可能になる。
【００３１】
なお、測定対象となる毛髪の状態については、特に限定されない。
【００３２】
ただし、判定精度を高める観点から、事前に洗浄された毛髪を用いることが好ましい。また、判定精度を高める観点から、湿度調節された毛髪を用いることが好ましい。例えば、25℃でRH50％の環境下で12時間調湿された毛髪を用いることが好ましい。測定対象となる毛髪の長さは、特に限定されないが、例えば、1mm以上5mm以下の長さとすることができ、1.5mm以上2.5mm以下の長さとすることができる。ここで、測定対象となる毛髪は、密度既知の液体に対する沈き浮みや留まる位置の把握のために用いられるため、測定対象となる毛髪の長さが長くても短くても密度は実質的に変わらないことから、厳密に正確な長さは求められない。
【００３３】
（２）毛髪密度判定用液体
毛髪密度判定用液体は、測定対象である毛髪を浸して密度を判定するための毛髪密度判定用液体であって、密度が1.20g/cm3以上1.40g/cm3以下である。
【００３４】
毛髪密度判定用液体は、密度が1.20g/cm3以上1.40g/cm3以下であれば特に限定されないが、測定対象の毛髪の保持者の年齢および湿度条件に応じた密度とすることが好ましい。このような密度の下限としては、1.23g/cm3がよく、1.25g/cm3が好ましい。また、このような密度の上限としては、1.35g/cm3がよく、1.34g/cm3が好ましい。なお、測定する毛髪の位置（根元か毛先か）に応じて、用いる毛髪密度判定用液体の密度を変えるようにしてもよい。例えば、毛髪の根元の密度の判定用には1.27g/cm3以上1.34g/cm3以下の範囲の密度の液体を用い、毛髪の毛先の密度の判定用には1.25g/cm3以上1.33g/cm3以下の範囲の密度の液体を用いるようにしてもよい。
【００３５】
毛髪密度判定用液体は、特に限定されないが、例えば、十分に攪拌されることで密度分布が一様に均一であって単位体積当たりの重さである密度（g/cm3, kg/m3等）が1.20g/cm3以上1.40g/cm3以下となっていることが好ましい。
【００３６】
なお、密度の調製方法は、特に限定されないが、例えば、エチルベンゼン、ヨードベンゼン、糖、四塩化炭素、四臭化炭素、メタノール、Ｐｈａｒｍａｃｉａ  社製「フィコール（ショ糖とエピクロロヒドリンを共重合した水溶性の合成品）」、ｍ−キシレン、ブロモベンゼン等を用いて密度を調整してもよい。糖、フィコールについては、水に溶解させると良い。また、密度の異なる２種類以上の液体を用いて所望の密度の液体を調製していてもよく、このような密度の異なる２種類の液体としては、例えば、エチルベンゼンおよびヨードベンゼン、四塩化炭素および四臭化炭素、四塩化炭素およびメタノール、ｍ−キシレンおよびブロモベンゼンが挙げられる。
【００３７】
（３）毛髪密度判定用密度分布液体
毛髪密度判定用密度分布液体は、測定対象である毛髪を浸して密度を判定するために用いられ、既知の密度分布を有している。
【００３８】
毛髪密度判定用密度分布液体は、液体の全体にわたって密度分布が既知であってもよいし、毛髪の密度の判定に用いられる部分の密度が既知であれば十分であるため特定の部分についてのみ既知であってもよい。
【００３９】
毛髪密度判定用密度分布液体は、下方ほど密度が大きくなるような密度勾配を有している密度勾配液体であることが好ましい。例えば、下方ほど密度が大きくなるような密度勾配を有するのではなく、密度が低い部分の上方に密度が高い部分が存在してしまうと、密度が高い部分がより下方に向けて移動しようとし、密度が低い部分がより上方に向けて移動しようとしてしまうため、攪拌が生じ、安定的な密度分布を維持することが困難になる。また、密度が低い部分の上方に密度が高い部分が存在してしまうと、測定対象の毛髪が液体の上方から落ちていく際に当該密度が高い部分よりも下方に落下することができない場合があり、適切な判定を行いにくくなってしまう。このような不具合を抑制できる点で、下方ほど密度が大きくなるような密度勾配を有している密度勾配液体が好ましい。
【００４０】
密度勾配液体は、下方から上方に向けて密度の高い層から低い層が積層されることで構成されており各層の単位体積当たりの重さである密度（g/cm3, kg/m3等）が明らかになっている（少なくとも部分的に明らかになっている）ことが好ましい。なお、密度勾配液体は、高さ方向に所定厚みの密度毎の層を複数有しているものに限られず、層同士の境界が不明になるほど徐徐に密度が変化する勾配を有しているものであってもよい。
【００４１】
また、密度勾配液体は、密度勾配における最小密度が測定対象である毛髪の密度より小さく、密度勾配における最大密度が測定対象である毛髪の密度より大きいことが好ましい。例えば、測定対象となる毛髪のおおよその密度を把握することができている場合や測定対象となる毛髪の密度を傷み程度等から予測することができている場合には、当該おおよそに把握された密度や予測された密度を密度勾配の一部に含むように密度勾配液体を構成することが好ましい。この場合には、当該密度勾配液体の濃度勾配の一部分に測定対象となる毛髪が留まりやすく（当該密度勾配液体に対して完全に浮いてしまったり完全に沈んでしまうことがなく）、一回の判定によって測定対象の毛髪の密度を把握することが可能になる。
【００４２】
なお、密度勾配液体の調製方法は、特に限定されるものではないが、以下、図面を参照しつつ一例を挙げて説明する。
【００４３】
図１に密度勾配液体を調製するための調製用装置１０の概略構成図を示す。
【００４４】
調製用装置１０は、第１ディスポシリンジ２０と、第２ディスポシリンジ３０と、マイクロシリンジポンプ４０と、平底フラスコ６０と、セプタ６１と、スターラー７０と、回転子７１と、キャニュラー８０と、メスシリンダー９０と、を主として備えて構成されている。
【００４５】
第１ディスポシリンジ２０は、第１プランジャー２２が押し込まれることによって第１筒部２１内の液体が第１針２３を介して外部に押し出されるように構成されている。この第１筒部２１内には、密度が均一の第１の液体が入っている。第２ディスポシリンジ３０は、第２プランジャー３２が押し込まれることによって第２筒部３１（当該第２筒部３１内は、空。）内の空気が第２針３３を介して外部に押し出されるように構成されている。第１ディスポシリンジ２０の第１針２３は、平底フラスコ６０の蓋としてのセプタ６１に刺さることで、第１筒部２１内と平底フラスコ６０内とを連通させている。第２ディスポシリンジ３０についても同様に、第２針３３が、セプタ６１に刺さることで、第２筒部３１内と平底フラスコ６０内とを連通させている。平底フラスコ６０内には、第１の液体とは密度が異なっており第１の液体よりも小さい密度で密度が均一の第２の液体が入っている。なお、平底フラスコ６０の底には回転子７１が入れられており、スターラー７０によって平底フラスコ６０内の液体が攪拌されている。平底フラスコ６０内とメスシリンダー９０内とは、キャニュラー８０によって連絡されている。キャニュラー８０の平底フラスコ６０側の端部は、開口しており、平底フラスコ６０内の液体内に浸るように設けられている。キャニュラー８０のメスシリンダー９０側の端部は、開口しており、メスシリンダー９０内のうち底に近い部分に当該開口が位置するように（好ましくは、キャニュラー８０の開口がメスシリンダー９０の底に沿うように）配置されている。マイクロシリンジポンプ４０は、図示しない電動モータを駆動させることで、第１ディスポシリンジ２０の第１プランジャー２２と、第２ディスポシリンジ３０の第２プランジャー３２を、それぞれ所定の注入速度となるように押し込むことができる。
【００４６】
以上のように組み合わされてなる調製用装置１０において、マイクロシリンジポンプ４０を十分にゆっくりと駆動させると、まず、第１ディスポシリンジ２０の第１プランジャー２２が押し込まれるとともに、第２ディスポシリンジ３０の第２プランジャー３２も押し込まれ、第１針２３を介して第１の液体が平底フラスコ６０内に送られるとともに、第２針３３を介して空気が平底フラスコ６０内に送られる。ここで、平底フラスコ６０内の圧力が上昇することで平底フラスコ６０内の液体がキャニュラー８０を介してメスシリンダー９０に送られることとなる。
【００４７】
ここで、マイクロシリンジポンプ４０を駆動させた当初は、平底フラスコ６０内には第２の液体しか存在していないため、キャニュラー８０を介してメスシリンダー９０に送られる液体は、実質的に第２の液体のみから構成されている。
【００４８】
そして、マイクロシリンジポンプ４０を駆動させてしばらく経過すると、平底フラスコ６０内の第２の液体には第１ディスポシリンジ２０から送られてきた第１の液体が混ざり込んだ状態となっている。なお、平底フラスコ６０内の液体は、スターラー７０および回転子７１によって攪拌されることで、密度が実質的に一様となるように維持されている。このように、平底フラスコ６０内の液体は、第２の液体よりも密度の高い第１の液体の割合が増していくことで、経時的に密度が上昇していくことになり、キャニュラー８０を介してメスシリンダー９０の底に送られていく。ここで、マイクロシリンジポンプ４０は十分にゆっくりと駆動しているため、キャニュラー８０の先端の開口を介してメスシリンダー９０内に液体が流入したとしても、メスシリンダー９０内に既に存在している液体を攪拌させてしまうことがない。このようにして、キャニュラー８０の先端の開口を介してメスシリンダー９０内には経時的に密度が大きくなっていく液体が送られるが、新たにメスシリンダー９０に送られた密度の高い液体は、それまでにメスシリンダー９０内に存在していた液体よりも密度が高い液体であるため、メスシリンダー９０内においてより下方に位置するようになる。そして、新たにメスシリンダー９０に送られた密度の高い液体は、メスシリンダー９０内においてより下方に位置し、それまでに既にメスシリンダー９０内に存在していた液体はより上方に移動していくことになる。
【００４９】
このようにして、密度勾配液体は調製される。
【００５０】
（４）毛髪密度判定用キット
毛髪密度測定用キットは、測定対象である毛髪を浸して密度を判定するための毛髪密度判定用キットであって、密度既知の第１液体と、密度既知であって前記第１液体とは密度が異なる第２液体と、を備えている。
【００５１】
第１液体は、密度既知であれば特に限定されないが、例えば、上述した毛髪密度判定用液体のうちの密度均一液体のように、十分に攪拌されることで密度分布が一様に均一であって単位体積当たりの重さである密度（g/cm3, kg/m3等）が明らかになっている液体であることが好ましい。なお、第１液体の密度は、1.20g/cm3以上1.40g/cm3以下の所定の密度であることが好ましい。また、第１液体の密度は、測定対象の毛髪の保持者の年齢および湿度条件に応じた密度とすることが好ましい。
【００５２】
第２液体は、密度既知であって、第１液体とは密度が異なる液体であれば特に限定されないが、例えば、上述した毛髪密度判定用液体のうちの密度均一液体のように、十分に攪拌されることで密度分布が一様に均一であって単位体積当たりの重さである密度（g/cm3, kg/m3等）が明らかになっている液体であることが好ましい。なお、第２液体の密度は、第１液体の密度とは異なる密度であって、1.20g/cm3以上1.40g/cm3以下の所定の密度であることが好ましい。また、第２液体の密度も、測定対象の毛髪の保持者の年齢および湿度条件に応じた密度とすることが好ましい。
【００５３】
第１液体と第２液体とは、互いに密度が異なっていれば、同じ成分が配合されて構成されていてもよいし、異なる成分が配合されて構成されていてもよい。
【００５４】
第１液体と第２液体の保存状態は、特に限定されないが、例えば特定の容器に封入されて保存されていてもよい。また、当該容器は、毛髪の浮き沈みを把握しやすくする観点から、透明な容器であることが好ましい。
【００５５】
また、毛髪密度測定用キットは、第１液体と第２液体の２種類の液体のみを備えて構成されている場合に限られず、さらに密度の異なる第３液体を備えて構成されていてもよく、複数種類の密度の液体を備えて構成されていてもよい。
【００５６】
このように、互いに密度が異なる第１液体と第２液体を備えた毛髪密度測定用キットを利用することで、ユーザは、毛髪を第１液体と第２液体に浸して各液体での毛髪の浮き沈みを観察するだけで、毛髪の密度の判定を行うことが可能になる。特に、密度が１種類の液体だけを用いる場合には当該１種類の密度と比べて測定対象となる毛髪の密度が大きいのか小さいのかしか判定できないが、毛髪密度測定用キットを用いた場合には、複数種類の液体のうち測定対象となる毛髪が浮いた液体と沈んだ液体が存在した場合には、当該測定対象の毛髪の密度が、毛髪が沈んだ液体の密度よりも大きく毛髪が浮いた液体の密度より小さいことまで特定することが可能になる。
【実施例】
【００５７】
以下に、密度勾配液体の実施例を挙げてより具体的に説明するが、本発明の趣旨を逸脱することがない限り、本発明は以下の実施例に限定されるものではない。
【００５８】
密度勾配液体は、上述の図１で説明した装置を用いて調製した。具体的には、平底フラスコ６０に25 mLのエチルベンゼン（関東化学株式会社、特級）を入れた。第１ディスポシリンジ２０として30mlシリンジを用い、25mLのヨードベンゼン（和光純薬工業株式会社、特級）を注入した。第２ディスポシリンジ３０も同様に30mlシリンジを用い、空気を入れた。これら第１ディスポシリンジ２０および第２ディスポシリンジ３０をマイクロシリンジポンプ４０に設置した。第１ディスポシリンジ２０の第１針２３と第２ディスポシリンジ３０の第２針３３を、セプタ６１に貫通させ、第１針２３と第２針３３の先端を平底フラスコ６０の内部であって平底フラスコ６０内の液面よりも上方位置に配置させた。キャニュラー８０の一端を平底フラスコ６０内の水面より下の位置に配置し、キャニュラー８０の他端はメスシリンダー９０の底面に当たるまで差し込んだ。そして、マイクロシリンジポンプ４０による注入速度を0.5mL/minに設定して駆動させた、密度勾配液体を調製した。
【００５９】
なお、ここで得られた密度勾配液体について、キャブレーションを行った。
【００６０】
密度既知の以下の(i)〜(v)の液体を標準物質として用意した。
【００６１】
(i) 4.5M (1.5907mg/ml) の塩化セシウム CsCl （和光純薬工業株式会社、特級）
(ii) 3.5M (1.4623mg/ml) の塩化セシウム CsCl （和光純薬工業株式会社、特級）
(iii) 2.5M (1.3297 mg/ml) の塩化セシウム CsCl （和光純薬工業株式会社、特級）
(iv) 1.0 M (1.039 mg/ml) の塩化ナトリウム NaCl （和光純薬工業株式会社、特級）
(v) 純水 (0.9771 mg/ml)
【００６２】
そして、(i)〜(v)の標準物質を、比重の重い順に、0.5μlずつ上記調製した密度勾配液体に静かに入れた。そして、静止した際における各(i)〜(v)の標準物質の位置に対応するメスシリンダー９０の目盛を読み取った。
【００６３】
メスシリンダー９０の目盛に対して標準物質の比重をプロットし、線形近似式（y=-0.0092x+1.7066）を算出したキャリブレーション結果を図２に示す。
【００６４】
これらの標準物質間の密度の相関係数Rは、R=1.000 (0.99995) となり、本実施例における密度勾配液体が高精度に調製されていることを確認した。
【００６５】
また、19〜70歳の日本人女性219名の毛髪を測定対象として用い、上記密度勾配液体によって密度を判定した。密度の測定は、新生部（根元）部分と既生部（毛先約30cm）部分についてそれぞれ行った。得られたデータに基づいて、根元と毛先についてそれぞれ年代別に直線近似を求めた結果を図３に示す。この図３の結果から、毛先の密度の低下が根元よりも過度に生じていることが確認された。また、この図３の結果から、19〜70歳の日本人女性の毛髪密度は1.25g/cm3以上1.34g/cm3以下の範囲となる傾向があり、特に1.27g/cm3以上1.33g/cm3以下の範囲に集中する傾向が確認された。
【００６６】
また、ここで得られた根元と毛先の密度の値について、「毛先の毛髪密度」／「根元の毛髪密度」の値を算出し、年代別にプロットした結果を図４に示す。図４の縦軸は、根元に対して毛先がどれだけ密度低下を引き起こしているのかということを示している。ここでは、30代を境に急激に密度減少が起きていることが確認された。
【００６７】
上述した毛髪密度判定用液体（密度均一液体等）や毛髪密度判定用密度分布液体（密度勾配液体等）の密度については、図３で示されているように、測定対象となる毛髪を有する人間の年齢に応じた密度の液体を用いるようにすると好ましいことが分かる。
【先行技術文献】
【特許文献】
【００６８】
【特許文献１】特表２０１３−５２５５０３号公報
【図１】
0006461529.tif 000002
【図２】
0006461529.tif 000003
【図３】
0006461529.tif 000004
【図４】
0006461529.tif 000005